【誤訳訂正書】
【提出日】平成25年10月21日(2013.10.21)
【誤訳訂正１】
【訂正対象書類名】特許請求の範囲
【訂正対象項目名】全文
【訂正方法】変更
【訂正の内容】
【特許請求の範囲】
【請求項１】
下記の化学式１の繰り返し単位を含むポリアミック酸；
アルキル、水酸化基およびオキシム（ｏｘｉｍｅ）誘導体の官能基からなる群より選択された１種以上の官能基で置換されるか、または非置換のピリジン、もしくはキノリンを含むヘテロ環アミン化合物；
炭素間二重結合を含む（メタ）アクリレート系化合物；
光重合開始剤；および
有機溶媒を含み、
硬化温度が２００℃以下であり、ドライフィルムの製造用に使用されることを特徴とする感光性樹脂組成物。
【化１】
2012527009.tif 000001
（上記化学式１において、Ｘ１は４価の有機基であり、Ｘ２は芳香環を含む２価の有機基である。）
【請求項２】
記Ｘ１は、下記の化学式３〜１５からなる群より選択された１つの４価の有機基を含むことを特徴とする請求項１に記載の感光性樹脂組成物。
【化３】
2012527009.tif 000002
【化４】
2012527009.tif 000003
【化５】
2012527009.tif 000004
【化６】
2012527009.tif 000005
【化７】
2012527009.tif 000006
【化８】
2012527009.tif 000007
【化９】
2012527009.tif 000008
【化１０】
2012527009.tif 000009
【化１１】
2012527009.tif 000010
【化１２】
2012527009.tif 000011
【化１３】
2012527009.tif 000012
【化１４】
2012527009.tif 000013
【化１５】
2012527009.tif 000014
（上記化学式１５において、Ｙ１は、単一結合、−Ｏ−、−ＣＯ−、−Ｓ−、−ＳＯ２−、−Ｃ（ＣＨ３）２−、−Ｃ（ＣＦ３）２−、−ＣＯＮＨ、−（ＣＨ２）ｎ１−、−Ｏ（ＣＨ２）ｎ２Ｏ−または−ＣＯＯ（ＣＨ２）ｎ３ＯＣＯ−であり、前記ｎ１、ｎ２およびｎ３は、それぞれ独立に１〜５の整数である。）
【請求項３】
前記Ｘ２は、下記の化学式１６〜１９からなる群より選択された１つの２価の有機基を含むことを特徴とする請求項１に記載の感光性樹脂組成物。
【化１６】
2012527009.tif 000015
【化１７】
2012527009.tif 000016
【化１８】
2012527009.tif 000017
【化１９】
2012527009.tif 000018
（上記化学式１７〜１９において、Ｙ１，Ｙ２およびＹ３は、互いに同一でも異なっていてもよく、それぞれ独立に単一結合、−Ｏ−、−ＣＯ−、−Ｓ−、−ＳＯ２−、−Ｃ（ＣＨ３）２−、−Ｃ（ＣＦ３）２−、−ＣＯＮＨ、−（ＣＨ２）ｎ１−、−Ｏ（ＣＨ２）ｎ２Ｏ−または−ＣＯＯ（ＣＨ２）ｎ３ＯＣＯ−であり、前記ｎ１、ｎ２およびｎ３は、それぞれ独立に１〜５の整数である。）
【請求項４】
前記ポリアミック酸は、２，０００〜３００，０００の数平均分子量を有することを特徴とする請求項１に記載の感光性樹脂組成物。
【請求項５】
前記炭素間二重結合を含む（メタ）アクリレート系化合物は、２−ヒドロキシエチル（メタ）アクリレート、ベンジル（メタ）アクリレート、フェノキシポリエチレン（メタ）アクリレート、メトキシポリプロピレングリコール（メタ）アクリレート、２−ヒドロキシプロピル（メタ）アクリレート、（メタ）アクリロイルオキシエチルハイドロゲンフタルレート、１，６−ヘキサンジオールジ（メタ）アクリレート、エタンジオールジ（メタ）アクリレート、メチレンビス（メタ）アクリレート、ネオペンチルグリコールジ（メタ）アクリレート、２−ヒドロキシプロパンジオ−ルジ（メタ）アクリレート、イソプロピルジオールジ（メタ）アクリレート、イソプロピレングリコールジ（メタ）アクリレート、２−ヒドロキシエチルメタアクリレート、フェニルグリシジルエステルアクリレート、１，６−ヘキサンジオールエポキシアクリレート、エベクリル９６９５およびグリシジル（メタ）アクリレートからなる群より選択された１種以上の化合物を含むことを特徴とする請求項１に記載の感光性樹脂組成物。
【請求項６】
前記光重合開始剤は、アセトフェノン系化合物、ビイミダゾール系化合物、トリアジン系化合物およびオキシム系化合物からなる群より選択された１種以上の化合物を含むことを特徴とする請求項１に記載の感光性樹脂組成物。
【請求項７】
前記有機溶媒は、Ｎ−メチル−２−ピロリドン、Ｎ−アセチル−２−ピロリドン、Ｎ−ベンジル−２−ピロリドン、Ｎ，Ｎ−ジメチルホルムアミド、Ｎ，Ｎ−ジメチルアセトアミド、ジメチルスルホキシド、ヘキサメチルホスホルトリアミド、Ｎ−アセチル−ε−カプロラクタム、ジメチルイミダゾリジノン、ジエチレングリコールジメチルエーテル、トリエチレングリコールジメチルエーテル、γ−ブチロラクトン、ジオキサン、ジオキソラン、テトラヒドロフラン、クロロホルムおよび塩化メチレンからなる群より選択された１種以上を含むことを特徴とする請求項１に記載の感光性樹脂組成物。
【請求項８】
前記ポリアミック酸１００重量部に対して、
前記ヘテロ環アミン化合物０．５〜３０重量部；
前記炭素間二重結合を含む（メタ）アクリレート系化合物５〜２００重量部；
前記光重合開始剤０．３〜１０重量部；および
前記有機溶媒３００〜７００重量部を含むことを特徴とする請求項１に記載の感光性樹脂組成物。
【請求項９】
光架橋増感剤、硬化促進剤、リン系難燃剤、消泡剤、レベリング剤およびゲル防止剤からなる群より選択された１種以上の添加剤をさらに含むことを特徴とする請求項１に記載の感光性樹脂組成物。
【請求項１０】
ドライフィルム製造用であることを特徴とする請求項１に記載の感光性樹脂組成物。
【請求項１１】
請求項１〜１０のいずれか１項に記載の感光性樹脂組成物の硬化物を含むことを特徴とするドライフィルム。
【請求項１２】
半導体装置または多層配線基板用カバーフイルムとして使用されることを特徴とする請求項１１に記載のドライフィルム。
【請求項１３】
請求項１１に記載のドライフィルムを含むことを特徴とする多層プリント配線板。
【請求項１４】
請求項１１に記載のドライフィルムを含むことを特徴とする軟性回路基板。
【請求項１５】
請求項１１に記載のドライフィルムを含むことを特徴とする半導体用積層体。
【誤訳訂正２】
【訂正対象書類名】明細書
【訂正対象項目名】００６５
【訂正方法】変更
【訂正の内容】
【００６５】
前記感光性樹脂組成物は、光重合開始剤を含むことができる。前記光重合開始剤の具体例として、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、ベンゾインメチルエーテル、ベンゾインエチルエーテル、ベンゾインイソブチルエーテル、ベンゾインブチルエーテル、２，２−ジメトキシ−２−フェニルアセトフェノン、２−メチル−（４−メチルチオ）フェニル−２−モルホリノ−１−プロパン−１−オン、２−ベンジル−２−ジメチルアミノ−１−（４−モルホリノフェニル）−ブタン−１−オン、または２−メチル−１−［４−（メチルチオ）フェニル］−２−モルホリノプロパン−１−オンなどのアセトフェノン系化合物；２，２−ビス（２−クロロフェニル）−４，４’，５，５’−テトラフェニルジイミダゾール、２，２’−ビス（ｏ−クロロフェニル）−４，４’，５，５’−テトラキス（３，４，５−トリメトキシフェニル）−１，２’−ジイミダゾール、２，２’−ビス（２，３−ジクロロフェニル）−４，４’，５，５’−テトラフェニルジイミダゾール、または２，２’−ビス（ｏ−クロロフェニル）−４，４，５，５’−テトラフェニル−１，２’−ジイミダゾールなどのジイミダゾール系化合物；３−｛４−［２，４−ビス（トリクロロメチル）−ｓ−トリアジン−６−イル］フェニルチオ｝プロピオン酸、１，１，１，３，３，３−ヘキサフロロイソプロピル−３−｛４−［２，４−ビス（トリクロロメチル）−ｓ−トリアジン−６−イル］フェニルチオ｝プロピオネート、エチル−２−｛４−［２，４−ビス（トリクロロメチル）−ｓ−トリアジン−６−イル］フェニルチオ｝アセテート、２−エポキシエチル−２−｛４−［２，４−ビス（トリクロロメチル）−ｓ−トリアジン−６−イル］フェニルチオ｝アセテート、シクロヘキシル−２−｛４−［２，４−ビス（トリクロロメチル）−ｓ−トリアジン−６−イル］フェニルチオ｝アセテート、ベンジル−２−｛４−［２，４−ビス（トリクロロメチル）−ｓ−トリアジン−６−イル］フェニルチオ｝アセテート、３−｛クロロ−４−［２，４−ビス（トリクロロメチル）−ｓ−トリアジン−６−イル］フェニルチオ｝プロピオン酸、３−｛４−［２，４−ビス（トリクロロメチル）−ｓ−トリアジン−６−イル］フェニルチオ｝プロピオンアミド、２，４−ビス（トリクロロメチル）−６−ｐ−メトキシスチリル−ｓ−トリアジン、２，４−ビス（トリクロロメチル）−６−（１−ｐ−ジメチルアミノフェニル）−１，３−ブタジエニル−ｓ−トリアジン、または２−トリクロロメチル−４−アミノ−６−ｐ−メトキシスチリル−ｓ−トリアジンなどのトリアジン系化合物；およびチバスペシャリティケミカル社製のＣＧＩ−２４２、ＣＧＩ−１２４などのオキシム系化合物などが挙げられるが、これらに限定されるものではない。
【誤訳訂正３】
【訂正対象書類名】明細書
【訂正対象項目名】００６９
【訂正方法】変更
【訂正の内容】
【００６９】
また、前記感光性樹脂組成物は、必要に応じて、光架橋増感剤、硬化促進剤、リン系難燃剤、消泡剤、レベリング剤またはゲル防止剤などのような添加剤を追加で含むことができる。